(57)【特許請求の範囲】
【請求項１】
ハウジングの周壁および底壁で形成された受入凹部へ該受入凹部の開口前部から相手コネクタたるプラグを受け入れて該プラグの外部導体と接触して上記ハウジングの周壁の方へ弾性変位する弾性接触部が設けられている端子を有するジャック型コネクタにおいて、端子は、上記ハウジングの底壁に形成された挿入孔から前方に向けて挿入組込されており、上記ハウジングの周壁の内面で支持される被支持部と、該被支持部の前端部で後方に向け折り返された折返部と、受入凹部内で上記折返部から後方に向けて延びる弾性接触部とを有し、上記被支持部と折返部には、該折返部から後方に向けてスリット状の切込部が形成され、ハウジングの周壁の内面には、上記端子の挿入組込過程にて上記切込部に前方から進入する規制突部がハウジングの一部として該ハウジングと一体に形成されて設けられていて、該規制突部は、上記弾性接触部が上記プラグの外部導体と接触する位置を前後方向で含む範囲に形成され、上記周壁の方への該弾性接触部の弾性変位量を規制するようになっており、端子の折返部における切込部の縁部は、上記端子の挿入組込過程で、上記周壁の厚さ方向にて上記規制突部よりも受入凹部内方に位置していることを特徴とするジャック型コネクタ。
【請求項２】
ハウジングは、規制突部よりも前方位置における周壁の内面に突起部を有しており、該突起部は、端子の挿入組込過程にて該端子の折返部における切込部に前方から進入し、上記周壁の厚さ方向における該突起部の内端面が該切込部の縁部における上記折返部の面と略連続面をなすレベルに位置するように形成されていることとする請求項１に記載のジャック型コネクタ。
【発明の詳細な説明】
【技術分野】
【０００１】
本発明はジャック型コネクタに関し、特に相手方コネクタたるプラグがコジリ挿抜されたときに、端子の接触部が過大変位して、塑性変形したり損傷したりすることを回避できる端子を有するジャック型コネクタに関する。
【背景技術】
【０００２】
この種のジャック型コネクタは、特許文献１に開示されているものが知られている。この特許文献１にあっては、ジャックは二つの端子を有し、一つの端子がハウジングに支持されている被支持部とここから折り返された弾性片とを有し、該弾性片の一部に接触部が形成されており、相手プラグのプラグ端子受入時に、上記接触部がプラグ端子の外周面により圧せられて、ジャックのハウジング周壁の方へ弾性変位する。
【０００３】
かかるジャックにおいては、プラグがコジリ挿抜されることがあり、上記接触部が過大に弾性変位して損傷につながることがある。そこで、特許文献１では、ハウジング周壁で支持される端子の被支持部の一部を切り起こしてストッパ片を形成し、折返しにより形成された弾性片の接触部がハウジング周壁の方へ向け大きく弾性変位したときに、該接触部が上記ストッパ片に当接してそれ以上変位しないように規制している。
【特許文献１】特開平１０−０２２００４
【発明の開示】
【発明が解決しようとする課題】
【０００４】
特許文献１におけるストッパ片は、弾性変位する接触部を有する端子の一部として形成されている。この端子は、接触部が弾性変位することができるように、比較的薄い金属板から作られる。したがって、上記ストッパ片も薄く、しかも、平らなまま切り起こされているだけなので、剛性が低い。
【０００５】
このような特許文献１のジャックに対して、プラグがコジリ挿抜されると、上記ストッパ片は接触部（の背面）から力を受けるとそれにより曲げ応力が生じ、容易に倒れて規定の位置を維持しなくなりストッパ片としての機能が低下する。また、このようなコジリ挿抜が繰り返されると、ストッパ片は折損してしまい全く機能しなくなることもある。ストッパ片が機能しなくなると、上記コジリ挿抜により端子の接触部が過大に変位して、該接触部が塑性変形したり損傷したりする。
【０００６】
本発明は、かかる事情に鑑み、プラグのコジリ挿抜を受けても、端子の接触部の過大変位を定位置で確実に規制して該接触部が容易には損傷しないようにしたジャック型コネクタを提供することを課題とする。
【課題を解決するための手段】
【０００７】
本発明に係るジャック型コネクタは、ハウジングの周壁および底壁で形成された受入凹部へ該受入凹部の開口前部から相手コネクタたるプラグを受け入れて該プラグの外部導体と接触して上記ハウジングの周壁の方へ弾性変位する弾性接触部が設けられている端子を有している。
【０００８】
かかるジャック型コネクタにおいて、本発明は、端子は、上記ハウジングの底壁に形成された挿入孔から前方に向けて挿入組込されており、上記ハウジングの周壁の内面で支持される被支持部と、該被支持部の前端部で後方に向け折り返された折返部と、受入凹部内で上記折返部から後方に向けて延びる弾性接触部とを有し、上記被支持部と折返部には、該折返部から後方に向けてスリット状の切込部が形成され、ハウジングの周壁の内面には、上記端子の挿入組込過程にて上記切込部に前方から進入する規制突部がハウジングの一部として該ハウジングと一体に形成されて設けられていて、該規制突部は、上記弾性接触部が上記プラグの外部導体と接触する位置を前後方向で含む範囲に形成され、上記周壁の方への該弾性接触部の弾性変位量を規制するようになっており、端子の折返部における切込部の縁部は、上記端子の挿入組込過程で、上記周壁の厚さ方向にて上記規制突部よりも受入凹部内方に位置していることを特徴としている。
【０００９】
このような本発明のコネクタの組立時に、端子がハウジングの底壁の挿入孔から挿入組込されると、ハウジング周壁内面に設けられた規制突部が該端子の切込部へ進入し、該規制突部は、弾性接触部の背面側に位置する。このコネクタの使用時には、該規制突部は、相手コネクタたるプラグと接触して弾性変位した弾性接触部の背面に当接することにより、該弾性接触部の過大な変位を規制する。規制突部が弾性接触部から受ける応力はハウジングの周壁に分散して支持される。
【００１０】
規制突部はハウジングの一部として該ハウジングと一体に一部材として形成されているので、規制突部をハウジングと別体として形成する場合と比較して、規制突部とハウジングとが不連続となっていない分、該規制突部が弾性接触部から受ける力はハウジングの周壁に伝達されやすくなる。これによって、規制突部自体に作用する応力を軽減して該規制突部の損傷を防止できる。また、規制突部をハウジングと一体に一部材として形成することにより、部品点数が減る分、コネクタの製造が容易となる。
【００１１】
規制突部は、弾性接触部がプラグの外部導体と接触する位置を前後方向で含む範囲に形成されているので、該プラグが弾性接触部を圧する方向にこじられたとき、規制突部は、前後方向において、該弾性接触部とプラグの外部導体との接触位置、すなわち該外部導体から力を受ける位置と同位置で該弾性接触部の背面と当接する。したがって、弾性接触部が上記外部導体から受ける力は、規制突部側へ伝達されやすく、弾性接触部における上記接触位置以外の端子部分へはほとんど伝達されない。この結果、外部導体からの力が弾性接触部における上記接触位置以外の端子部分へ伝達されることによる該弾性接触部の不用意な変形そして損傷を防止できる。
【００１２】
ハウジングは、規制突部よりも前方位置における周壁の内面に突起部を有しており、該突起部は、端子の挿入組込過程にて該端子の折返部における切込部に前方から進入し、上記周壁の厚さ方向における該突起部の内端面が該切込部の縁部における上記折返部の面と略連続面をなすレベルに位置するように形成されていることが好ましい。
【００１３】
これによって、端子の折返部における切込部に進入した突起部の面は該切込部の縁部における該折返部の面と略連続面をなすので、該折返部の面のレベルと上記突起部の面のレベルとがずれて位置することに起因して該切込部の縁部が段差をなして露出することはない。したがって、相手コネクタたるプラグが挿入される際、該プラグの先端が上記端子の切込部の縁部付近を通過するときに、該プラグの先端が該切込部の縁部に当接することを回避できるので、該当接による端子およびプラグの損傷が防止される。
【発明の効果】
【００１４】
本発明は、以上のように、コネクタの組立時には、端子をハウジングへ挿入組込みするだけで、端子の切込部へハウジングの規制突部が進入して端子の弾性接触部の背面側に位置するようにし、また、コネクタ使用時には、該弾性接触部の弾性変位量を規制するようにした。これによって、コネクタの組立時において、その組立作業が簡単となり、また、コネクタの使用時において、弾性接触部の過大変位が阻止され、弾性接触部の規制は定位置にて維持される。また、上記規制突部が弾性接触部から受ける応力はハウジング周壁により支持されるので、規制突部は強固であり容易には塑性変形そして損傷することはない。
【００１５】
該規制突部は端子とは別体であるので、例えば端子の一部を切り起こして板状の規制突部を形成するような場合と比較して、十分に剛性を確保できるような寸法で規制突部を形成することが可能である。このように形成された該規制突部は弾性変位した弾性接触部と当接しても該弾性接触部から曲げ応力を受けることはなく単なる圧縮応力だけを受けるので、該規制突部にかかる負荷は小さい。また、弾性接触部と当接する面積が大きくなるように規制突部を形成することにより、該規制突部が受ける負荷はさらに軽減される。
【発明を実施するための最良の形態】
【００１６】
以下、添付図面にもとづき、本発明の実施形態を説明する。
【００１７】
図１（Ａ）は、本実施形態に係るジャック型コネクタの全体を示す斜視図であり、図１（Ｂ）は、図１（Ａ）に示されるコネクタを相手コネクタの挿入側から見た正面図である。また、図２は、図１（Ｂ）に示されるコネクタのII−II断面斜視図であり、図３は、図１（Ｂ）に示されるコネクタのII−II断面図である。図２および図３においてはハウジングのみを断面とし、端子は断面としていない状態で示している。
【００１８】
ジャック型コネクタ１（以下、単に「コネクタ１」という）は、相手コネクタたるプラグ（図示せず）と接続される。該プラグは、中空円筒状の外部導体と該外部導体内にて該外部導体と同軸に延びる信号端子とを有している。コネクタ１は、略直方体外形をなす合成樹脂製のハウジング１０、該ハウジング１０の後方（図１（Ａ）における左方）から挿入されて該ハウジング１０に保持され上記プラグの信号端子と接触する金属製の信号端子２０、同じくハウジング１０の後方から挿入されて該ハウジング１０に保持され上記プラグの外部導体の外周面と接触する金属製のグランド端子３０とを有している。
【００１９】
ハウジング１０は、該ハウジング１０の周壁を形成し内部が略円筒状空間をなして中空となっている略直方体外形の周壁部１１と、該周壁部１１から後方へ突出する後方突出部１２、該周壁部１１の内径より小さい外径を有し該周壁部１１内部の円筒状空間にて該円筒状空間と同心に延びて形成された中空の内側円筒部１３を有する。周壁部１１は、角状外形の外側周壁部１１Ａと該外側周壁部１１Ａの前面から前方へ突出した円筒状外形の前方円筒部１１Ｂとを有している。内側円筒部１３は、図２および図３に示されるように、ハウジング１０の後方側にて底壁１４によって周壁部１１と連結されており、周壁部１１の内周面、内側円筒部１３の外周面、そして底壁１４の内面によって、プラグを前方から受け入れるための略環状の受入凹部１５が形成されている。
【００２０】
内側円筒部１３の内部には、図２に示されるように、該内側円筒部１３の軸線方向に延びる端子保持孔１６が形成されており、該端子保持孔１６はハウジング１０の底壁１４を貫通している。該端子保持孔１６の内周面には、該端子保持孔１６の半径方向内方へ向けて突出した段部１６Ａが形成されている。
【００２１】
信号端子２０は、図２に示されるように、金属板を屈曲して形成されており、細長く前方へ延び相手コネクタたるプラグの信号端子と接触する接触部２１、該接触部２１よりも幅広い形状をなし該接触部２１より後方位置で下方へ向けてクランク状に延びる中間部２２、該中間部２２から上方へ向けて屈曲されケーブル（図示せず）と結線される信号用結線部２３とを有している。かかる信号端子２０は、コネクタ１の後方からハウジング１０の端子保持孔１６へ挿入されており、中間部２２のうち接触部２１と隣接し図３における水平方向に延びる水平部２２Ａの両側端面が端子保持孔１６の内面に挿入され保持されている。信号用結線部２３は、該信号用結線部２３を板厚方向に貫通して形成された信号用結線孔２３Ａを有している。上記ケーブルの芯線は、該信号用結線孔２３Ａを貫通した状態で該信号用結線部２３と半田結線される。
【００２２】
図１（Ｂ）でよく見られるように、ハウジング１０の周壁部１１は、前方から見たときに、前方円筒部１１Ｂの下端部よりも同図における下方へ及ぶ外形をなしている。図３によく見られるように、下方へ及ぶ部分の内部には没入空間が形成されていて、受入凹部１５は、環状空間と、該環状空間の周方向における一部（下部）から半径方向外方へ没した没入空間とを有している。かかる受入凹部１５において、上記没入空間と、環状空間の一部であって上記没入空間に隣接する部分とによって、図３に示されるようにグランド端子３０を収容するための空間である収容部１５Ａが形成されている。
【００２３】
グランド端子３０は、後述するように、ハウジング１０の底壁１４に貫通形成された挿入孔１７からハウジング１０内へ挿入組込されることにより上記収容部１５Ａに収容され、図３に示されるように、該収容部１５Ａを形成する外側周壁部１１Ａの平坦な下側内面である支持面１８で支持される。該支持面１８には、グランド端子３０の弾性接触部３３の該支持面１８へ向けた弾性変位量を規制する規制突部１１Ａ−１が該支持面１８から突出して外側周壁部１１Ａと一体に一部材としてモールド成形されている。該規制突部１１Ａ−１によるグランド端子３０の弾性変形量の規制については図６を用いて後述する。
【００２４】
また、該支持面１８には、図３に示されるように、規制突部１１Ａ−１よりも受入凹部１５の開口側寄り位置にて、該支持面１８から突出する突起部１１Ａ−２が外側周壁部１１Ａと一体に一部材としてモールド成形されている。該突起部１１Ａ−２は、外側周壁部１１Ａのみならず前方円筒部１１Ｂとも連結しており、該突起部１１Ａ−２の図３における上面、すなわち内端面１１Ａ−３は、該前方円筒部１１Ｂの下側内面１１Ｂ−１と同一のレベルをなしている。
【００２５】
グランド端子３０は、図４に示されるように、金属板を板厚方向で折り返すように屈曲して形成されている。該グランド端子３０は、ハウジング１０の支持面１８で支持される平板状の被支持部３１と、該被支持部３１の前端（図４にて右端）にて上方へ折り返された折返部３２と、該折返部３２から被支持部３１の後端側に向けて延びる弾性接触部３３とを有している。被支持部３１と折返部３２には、その幅方向の中央部に該折返部３２から被支持部３１の後端側へ向けてスリット状の切込部３４が形成されている。また、弾性接触部３３は、同図に示されるように、該弾性接触部３３が延びる方向におけるほぼ中間の位置にて山状に屈曲されて形成された後述の頂部３３Ａを有している。
【００２６】
被支持部３１は、その側端縁にて該側端縁の一部を図４における下方へ屈曲片として形成された後述の係止部３１Ａを有している。また、該被支持部３１は、図４に示されるように、その側端縁の前方部分にて段状をなす後述の肩部３１Ｂを有している。被支持部３１の後端の一部からは、折返部３２から離れる方向へ延びるとともに先端が上方へ向けて屈曲されたグランド用結線部３５が形成されている。該グランド用結線部３５は、該グランド用結線部３５を板厚方向に貫通して形成されたグランド用結線孔３５Ａを有している。グランド用ケーブルの芯線（図示せず）は、該グランド用結線孔３５Ａを貫通した状態で該グランド用結線部３５と半田結線される。
【００２７】
図５は、グランド端子３０をハウジング１０内へ組み込む過程を示す図であり、（Ａ）は組込み前、（Ｂ）は組込み後の状態を示している。図５（Ａ）および図５（Ｂ）はコネクタ１を後方側から見た斜視図であり、信号端子２０の図示は省略されている。
【００２８】
図５（Ａ）に示されるように、グランド端子３０は、折返部３２が形成されている側から前方へ向けて挿入孔１７に挿入される（矢印Ａ）。該グランド端子３０が挿入孔１７を経てハウジング１０の収容部１５Ａ内へ進入すると、該ハウジング１０の支持面１８に形成された規制突部１１Ａ−１が切込部３４へ前方から進入する。そして、図５（Ｂ）に示されるように、該規制突部１１Ａ−１が被支持部３１に形成された切込部３４の奥部まで到達し、グランド端子３０の挿入組込が完了する。該挿入組込の完了時において、被支持部３１の肩部３１Ｂの前端縁が、コネクタ１の前後方向で、収容部１５Ａの内側面に形成された段部（図示せず）と係止することにより、グランド端子３０の前方へのさらなる移動が規制される。
【００２９】
グランド端子３０の挿入組込が完了すると、図３によく見られるように、グランド端子３０の係止部３１Ａは、コネクタ１の前後方向でハウジング１０の支持面１８の段部に係止し、これによって、該グランド端子３０の抜けが防止される。また、規制突部１１Ａ−１は、図３に示されるように、弾性接触部３３の延びる方向、すなわちコネクタ１の前後方向で頂部３３Ａを含む範囲に位置する。なお、グランド端子３０の組込とともに、信号端子２０がハウジング１０の後方側から前方へ向けて端子保持孔１６内へ挿入されてハウジング１０内へ組み込まれることにより、コネクタ１が完成する。
【００３０】
グランド端子３０が収容部１５Ａに挿入組込されると、図２および図５（Ｂ）によく見られるように、ハウジング１０の突起部１１Ａ−２がグランド端子３０の切込部３４内の前部域へ進入する。
【００３１】
本実施形態では、該突起部１１Ａ−２は、該突起部１１Ａ−２が上記切込部３４に進入した際に、該突起部１１Ａ−２の内端面１１Ａ−３のレベルが該切込部３４の縁部における該折返部３２の面のレベルとほぼ同一となるような寸法で形成されている。すなわち、上記内端面１１Ａ−３と上記折返部３２の面とは略連続面をなしている。これによって、突起部１１Ａ−２の内端面１１Ａ−３のレベルと該折返部３２の面のレベルとがずれて位置することに起因して該切込部３４の縁部が段状をなして露出することはなくなるので、相手コネクタたるプラグがハウジング１０の受入凹部１５の開口部を経て挿入される際、該プラグの先端が切込部３４の縁部付近を通過するときに、該プラグの先端が上記切込部３４の縁部に当接することを回避できる。この結果、該当接によるグランド端子３０およびプラグの損傷が防止される。
【００３２】
図６は、コネクタ１が相手プラグと嵌合した状態を示す図である。プラグ４０の先端が前方から該コネクタ１の受入凹部１５内へ挿入されると、該プラグ４０の信号端子（図示せず）が端子保持孔１６へ進入し、コネクタ１の信号端子２０の接触部２１と接触することにより、コネクタ１とプラグ４０とが電気的に導通する。
【００３３】
また、プラグ４０の先端がコネクタ１の受入凹部１５に挿入されると、該プラグ４０の外部導体４１は、図６に示されるように、弾性接触部３３の頂部３３Ａと接触してグランド端子３０と電気的に導通するとともに弾性接触部３３を支持面１８側、すなわち図６における下方へ向けて弾性変形させる。
【００３４】
プラグ４０の挿抜時において、コネクタ１の受入凹部１５に挿入されているプラグ４０が図６にて弾性接触部３３を強く圧する方向にこじられたときに、該プラグ４０の外部導体４１がグランド端子３０の弾性接触部３３を図６に示される位置よりさらに押し下げる。本実施形態では、弾性接触部３３の背面側、すなわち図６における下方に規制突部１１Ａ−１が位置しているので、上記コジリによって弾性接触部３３が押し下げられて弾性変形が進行すると、該弾性接触部３３の背面が規制突部１１Ａ−１と当接し、該弾性接触部３３のそれ以上の弾性変形が規制される。このように、規制突部１１Ａ−１によって弾性接触部３３の過大な変位は規制され、弾性接触部３３の規制が定位置で維持される。その結果、グランド端子３０の塑性変形や損傷が防止される。
【００３５】
また、規制突部１１Ａ−１は、ハウジング１０の支持面１８に形成されているので、プラグ４０のコジリ挿抜時に該規制突部１１Ａ−１がグランド端子３０の弾性接触部３３から受ける力により上記規制突部１１Ａ−１内に生ずる応力はハウジング１０の周壁に分散して支持される。したがって、規制突部１１Ａ−１は強固であり容易には塑性変形そして損傷することはない。
【００３６】
仮に、従来のコネクタのように、グランド端子３０の被支持部３１の一部を該被支持部３１の板面と垂直に切り起こして規制突部を形成した場合には、該規制突部は垂立する板状に形成される。該規制突部の上端面が弾性接触部３３と当接した際、弾性接触部３３からの力を受ける規制突部の上面の面積は小さいので該規制突部へ加わる負荷が大きい。また、該規制突部には曲げ応力が作用しやすいので、該規制突部は弾性接触部３３からの力を受けて座屈するおそれがある。
【００３７】
一方、本実施形態では、規制突部１１Ａ−１はグランド端子３０とは別体であるので、コネクタ１の前後方向、すなわち図６における左右方向において十分な寸法をもたせて規制突部１１Ａ−１を形成して、該規制突部１１Ａ−１に十分な剛性をもたせることが可能である。これによって、規制突部１１Ａ−１は弾性接触部３３から曲げ応力を受けることはなく単なる圧縮応力だけを受ける。また、本実施形態では、上述したようなグランド端子３０の被支持部３１の一部を切り起こして規制突部を形成する場合と比較して、弾性接触部３３と当接する面積が大きくなるように規制突部１１Ａ−１を形成して規制突部１１Ａ−１への負荷を軽減させることができる。したがって、規制突部１１Ａ−１は容易には塑性変形そして損傷することがない。
【００３８】
本実施形態では、規制突部１１Ａ−１は、ハウジング１０の一部として該ハウジング１０と一体に形成されている。これによって、規制突部をハウジング１０と別体で形成する場合と比較して、規制突部１１Ａ−１とハウジング１０の周壁部１１とが不連続となっていない分、規制突部１１Ａ−１が弾性接触部３３から受ける力は該規制突部１１Ａ−１を介してハウジング１０の周壁部１１側へ伝達されやすくなる。この結果、規制突部をハウジング１０と別体で形成する場合と比較して、規制突部１１Ａ−１自体に作用する力がさらに軽減されるので、規制突部１１Ａ−１が損傷することを良好に防止できる。また、規制突部１１Ａ−１をハウジング１０と一体に形成することにより、部品点数が減る分、コネクタ１の製造が容易となる。
【００３９】
本実施形態では、規制突部１１Ａ−１をハウジング１０と一体に形成したが、これに代えて、規制突部をハウジングと別体で形成して該ハウジングの支持面上に設けても何ら問題はない。このように規制突部がハウジングと別体で形成されていても、該規制突部と該周壁部の支持面とが十分な面積で密着して面接触しているならば、該規制突部が弾性接触部から受ける力はハウジング側へ良好に伝達されるので、上述したような、規制突部自体に作用する力を軽減させて該規制突部の損傷を防止する効果は十分に得られる。
【００４０】
また、本実施形態では、図６に示されるように、規制突部１１Ａ−１は、コネクタ１の前後方向において、プラグ４０の外部導体４１との接触位置である弾性接触部３３の頂部３３Ａを含む範囲に形成されている。これによって、プラグ４０が弾性接触部３３を強く圧する方向へこじられて弾性接触部３３が下方へ弾性変位したとき、規制突部１１Ａ−１は、外部導体４１から直接力を受ける頂部３３Ａの背面に当接する。したがって、頂部３３Ａが外部導体４１から受けた力は、弾性接触部３３における頂部３３Ａ近傍の範囲に集中して規制突部１１Ａ−１側へ直接伝達される。すなわち、外部導体４１からの力が弾性接触部３３の頂部３３Ａから離れた端子部分に伝達されることによる該弾性接触部３３の好ましくない変形そして損傷を防止できる。
【００４１】
ただし、弾性接触部３３が十分な強度をもって形成されている場合には、上記の好ましくない変形そして損傷をもたらすことなく、力が規制突部側へ伝達される。したがって、コネクタ１の前後方向における規制突部が形成される位置は、必ずしも弾性接触部３３の頂部３３Ａを含む範囲内である必要はない。この場合、規制突部は、上記前後方向で上記頂部３３Ａの近傍位置、あるいは規制突部の少なくとも一部が上記前後方向において該弾性接触部３３の範囲に含まれる位置に形成されていればよい。すなわち、規制突部は、コジリによって押し下げられた弾性接触部３３と当接可能な位置に形成されていればよく、かかる位置に規制突部を形成することにより、頂部３３Ａが外部導体４１から受ける力が規制突部側へ伝達される。
【図面の簡単な説明】
【００４２】
【図１】（Ａ）は、本実施形態に係るジャック型コネクタの全体を示す斜視図であり、（Ｂ）は、（Ａ）に示されるコネクタの正面図である。
【図２】図１（Ｂ）に示されるコネクタのII−II断面を示す断面斜視図である。
【図３】図１（Ｂ）に示されるコネクタのII−II断面を示す断面図である。
【図４】グランド端子の斜視図である。
【図５】グランド端子をハウジング内へ組み込む過程を示す図であり、（Ａ）は組込み前を示す図であり、（Ｂ）は組込み後を示す図である。
【図６】コネクタがプラグと嵌合した状態を示す図である。
【符号の説明】
【００４３】
１  コネクタ                              ２０  信号端子
１０  ハウジング                          ３０  グランド端子
１１Ａ−１  規制突部                      ３１  被支持部
１１Ａ−２  突起部                        ３２  折返部
１１Ａ−３  内端面                        ３３  弾性接触部
１４  底壁                                ３３Ａ  頂部
１５  受入凹部                            ３４  切込部
１７  挿入孔                              
【図１】
0004530425.tif 000002
【図２】
0004530425.tif 000003
【図３】
0004530425.tif 000004
【図４】
0004530425.tif 000005
【図５】
0004530425.tif 000006
【図６】
0004530425.tif 000007